Podtech/llm-jp-corpus-v4-ja_patent huggingface dataset:
(57)【要約】      （修正有）【課題】ゴミ分類の徹底が全国的に拡大しているが、まだ浸透していない家庭が多い。原因は複雑な分類と、それらを保管する場所やツールがなかったので、分類、分別が可能な棚を提供する。【解決手段】縦型棚状枠組を基本構造とし、２０以上のゴミの分類が可能なゴミ分別棚であり、ゴミ袋を横桟のフックに引っかける構造とすることで分別回収を可能とする。複数かつ種々の大きさのゴミ袋を短時間で取り付け、取り外しができるため普及しやすい。ラック上部に棚を設けることで、ゴミラックだけのために空間を占拠せず、既存のゴミ箱もしくは棚のスペースに設置できる。【選択図】図１
2016023087.tif 000002
【特許請求の範囲】
【請求項１】
縦型ラック構造のゴミラック。
【請求項２】
ラック横桟の任意の位置にフックを取り付ける構造。
【請求項３】
ゴミ収納機能の他に棚の機能を兼ねた構造。
【発明の詳細な説明】
【発明の詳細な説明】
【技術分野】
【０００１】  本発明は、従来のゴミ箱ではないゴミラックというものである。
【背景技術】
【０００２】  従来の分類できるゴミ箱は横型が多く、設置面積を広く必要とする。面積の制約や従来の社会環境から、４，５種類のゴミ分類に対応したものであった。【０００３】  例えば登録実用新案第３０９２２１１号は棚の中に収納する構造で、ゴミの出し入れに時間が掛かる。またその箱体の構造によって、分類できる種類が固定されてしまう。【０００４】  例えば登録実用新案第３０９０６３３号はフレーム構造で、使用するゴミ袋のサイズが固定される。これでは種類によって異なるゴミの量に対応しにくい。またゴミ袋の固定箇所が多く、袋の取付け、取り外しに時間が掛かる。【０００５】  従来ゴミ箱の上部は空間になり、デットスペースになる。【０００５】  本発明はこのような従来の問題を解決しようとするもので、構造上２０分類以上の分別を少スペースで実現でき、しかもゴミ袋の取付け、取り外しを短時間で行うことができる。またゴミラック上部の空間に棚の機能を持たせる。
【課題を解決するための手段と実施の形態】
【０００６】  縦型ラック構造にし、ラック横桟の任意の位置にフックを取り付け、またラック上部に棚を設けた構造。
【発明の効果】
【０００７】  ゴミの分別種類は多い地域で３４種類ある。（２００５／５／４  時点）こうした地域でも少スペースで分別回収が可能になった。しかも複数かつ種々の大きさのゴミ袋を短時間で取り付け、取り外しができるため普及しやすい。ラック上部に棚を設けることで、ゴミラックだけのために空間を占拠せず、既存のゴミ箱もしくは棚のスペースに設置することができる。これらによりリサイクルの推進、家事の時間短縮による女性の社会参加推進が見込まれる。
【図１】
2016023087.tif 000003
【図２】
2016023087.tif 000004
【手続補正書】
【提出日】平成26年9月18日(2014.9.18)
【手続補正３】
【補正対象書類名】明細書
【補正対象項目名】全文
【補正方法】変更
【補正の内容】
【発明の詳細な説明】
【発明の詳細な説明】
【技術分野】
【０００１】  本発明は、従来のゴミ箱ではないゴミ分別棚というものである。
【従来の技術１】
【０００２】  従来の分類できるゴミ箱は横型が多く、設置面積を広く必要とする。面積の制約や従来の社会環境から、４，５種類のゴミ分類に対応したものであった。
【従来の技術２】
【０００３】  例えば登録実用新案第３０９２２１１号は棚の中に収納する構造で、ゴミの出し入れに時間が掛かる。またその箱体の構造によって、分類できる種類が固定されてしまう。
【従来の技術３】
【０００４】  例えば実用新案第３０９０６３３号はフレーム構造で、使用するゴミ袋のサイズが固定される。これでは種類によって異なるゴミの量に対応しにくい。またゴミ袋の固定箇所が多く、袋の取り付け、取り外しに時間が掛かる。
【従来の技術４】
【０００５】  従来のゴミ箱の上部は空間になり、デットスペースになる。
【課題を解決するための手段と実施の形態１】
【０００６】  本発明はこのような従来の問題を解決しようとするもので、構造上２０分類以上の分別を少スペースで実現でき、しかもゴミ袋の取り付け、取り外しを短時間で行うことができる。
【課題を解決するための手段と実施の形態２】
【０００７】  縦型ラック構造にし、ラック横桟の任意の位置にフックを取り付け、またラック上部に棚を設けた構造。
【図面の簡単な説明】
【図１】・特大の用途  布類、古着、資源ゴミ、不燃物が狙い。  ・大の用途  段ボール、生ゴミ、缶類、アルミ缶、リサイクル化プラスチック容器、その他プラスチック容器、白色発砲スチロール、色付発砲スチロール、不燃物、無色透明瓶、リサイクル瓶、金属、陶磁器、その他分別の難しいもの。  ・中の用途  新聞、チラシ、雑誌、紙パック、紙類、紙おしめ、ナプキン、スチール缶、白色トレイ、茶色瓶、青色瓶、黒色瓶、電球、スプレー缶。  ・小の用途  古布、割り箸、ペットボトルのふた、金属キャップ、乾電池、水銀体温計、テープ類、鏡。・新聞ストックには、新聞ストッカーという製品が市場にあるのでそれを活用したい。サイズはＷ２３０×Ｈ３５０  ・特大、大、中、小のサイズの基準はスーパーで配布されるビニール袋、日曜大工店における市販のゴミ袋のサイズが基準になっている。・袋の間隔は小がＷ６０、中がＷ６０〜８０、大がＷ１００〜Ｗ１４０、特大がＷ２５０〜３００・木で作ることを考えたので、図面では斜めの補強を考慮している。木を利用しようとした理由は、リサイクル社会の象徴として。しかし特許請求範囲は木に限定するつもりはなく、構造を申請したい。
【図２】
2016023087.tif 000005
(57)【要約】【課題】作業時や運動時に、熱中症対策等の、暑さ対策として、身体の動きに支障のない部分を取り除き、通気性の優れた空調機能を促進させる異素材の生地を嵌め込んで改良し、身体の発熱や発汗作用を抑制する衣服【解決手段】衣服を、身体の動きに支障のない部分を取り除き、通気性の優れた空調機能を促進させる、異素材の生地を嵌め込んで、接合部に柔軟性の優れた極めて強力な接着効果のある素材を施し、衣服の空調機能を促進させ、身体の発熱や発汗を抑制する衣服を提供する【選択図】図１
2016023395.tif 000002
【特許請求の範囲】
【請求項１】
衣服を、作業時や運動時に、身体の動きに支障のない部分を取り除き、通気性の優れた空調機能を促進させる、異素材の生地を嵌め込んで、接合部に柔軟性の優れた極めて強力な接着効果のある素材を施し、改良することにより身体の発熱や発汗を抑制する衣服
【請求項２】
接合部分の接着素材は用途により、衣服の表面のみ、裏面のみ、表裏両面に施すことができる衣服
【発明の詳細な説明】
【技術分野】
【０００１】
この発明は、作業時や運動時の、身体の発熱や発汗作用を抑制する衣服に関する。
【背景技術】
【０００２】
近年、ヒートアイランド現象や地球温暖化による影響等により、企業、学校等において熱中症対策等の暑さ対策が叫ばれている。
【０００３】
特に部活動等、学校で熱中症を起こす子供が年々増えているのが現状であり、衣服を改良し、暑さ対策を実施する必要があった。
【０００４】
この発明は、衣服を身体の動きに支障のない部分を取り除き、通気性の優れた空調機能を促進させる異素材の生地を嵌め込んで改良し、衣服の空調機能を促進させ、身体の発熱、発汗作用を抑制するものである。
【０００５】
特別な環境の作業現場や部活動の現場において、暑さ対策は、より深刻な問題であり、大量生産の既製の衣服にでも、適用出来る対策が早急に求められていた。
【先行技術文献】
【特許文献】
【０００６】
【特許文献１】不明
【非特許文献】
【０００７】
【非特許文献１】なし
【発明の概要】
【発明が解決しようとする課題】
【０００８】
従来の衣服で、制服や集団行動服は、大量生産での既製服が大半で有り、作業時や運動時に、暑さ対策の衣服として、特別に仕立てるのは皆無であった。
【０００９】
しかしながら本案は、以上のような従来の欠点に鑑み、熱中症対策等の、暑さ対策の衣服として、従来の衣服でも、作業時や運動時に、身体の動きに支障のない部分を取り除き、通気性の優れた空調機能を促進させる異素材の生地を嵌め込んで改良し、身体の発熱や発汗作用を抑制する、熱中症等の暑さ対策の、衣服を提供する事を目的としている。
【課題を解決するための手段】
【００１０】
本方式は、衣服を作業時や運動時に、身体の動きに支障のない部分を取り除き、通気性の優れた空調機能を促進させる、異素材の生地を嵌め込んで改良し、衣服の空調機能を促進させ、作業時や運動時の、身体の発熱や発汗作用を、抑制する衣服を提供する。
【発明の効果】
【００１１】
本発明によれば、衣服を作業時や運動時に、身体の動きに支障のない部分を取り除き、通気性の優れた、空調機能を促進させる異素材の生地を嵌め込んで、嵌め込み部分の接合部に、柔軟性の優れた極めて強力な接着効果のある素材を施し、接合することにより、衣服の空調機能を、画期的に促進させ、作業時や運動時の身体の発熱や発汗作用を飛躍的に抑制する効果がある。
【００１２】
また、接合部分の接着素材は用途により、衣服の表面のみ、裏面のみ、表裏両面に施すことができる。
【図面の簡単な説明】
【００１３】
【図１】本発明の一実施形態を示す衣服脇部の、側面図である。
【図２】本発明を実施するための衣服脇部の、拡大図である。
【図３】本発明を実施するための衣服脇部の、表面のみ接着の拡大断面図である。
【図４】本発明を実施するための衣服脇部の、裏面のみ接着の拡大断面図である。
【図５】本発明を実施するための衣服脇部の、表裏両面接着の拡大断面図である。
【発明を実施するための形態】
【００１４】
この発明の一実施形態を図１に示す
【００１５】
衣服の取り除き部分に嵌め込む異素材の外径は、衣服本体の取り除き部分の内径より0.5mm程度微妙に拡大することにより、接合部分の隙間をなくし、接着効果をより強力にしている。
【００１６】
実施形態の効果
この実施形態によれば、衣服本体の内径より0.5mm程度微妙に拡大された、異素材の生地を嵌め込むことで、空調機能を促進させ、身体の発熱や発汗作用を抑制する。
【符号の説明】
【００１７】
1衣服本体
2嵌め込み素材（取り除き部分）
3接着素材
4接合部
5衣服の縫い目
6衣服の表面
7衣服の裏面
【図１】
2016023395.tif 000003
【図２】
2016023395.tif 000004
【図３】
2016023395.tif 000005
【図４】
2016023395.tif 000006
【図５】
2016023395.tif 000007
(57)【要約】【課題】使用している歯ブラシの清潔さを確保するために、歯ブラシの除菌と付着物の除去が必要である。歯ブラシを洗浄するときに、特殊な器具などを必要とせず、且つ短時間で除菌及び付着物の除去ができる歯ブラシ洗浄剤が望まれた。【解決手段】歯ブラシを安全性の確保された物質で除菌し、付着物を酵素で除去し、処理後は心地よい香りも残す歯ブラシ洗浄剤を調製する。【選択図】なし【特許請求の範囲】
【請求項１】
除菌剤、酵素、香料及び水溶性基材を含むものであることを特徴とする歯ブラシ洗浄剤。
【請求項２】
除菌剤が塩化ベンザルコニウム又はデヒドロ酢酸ナトリウムであることを特徴とする請求項１記載の歯ブラシ洗浄剤。
【請求項３】
酵素がα‐アミラーゼと、β‐アミラーゼと、ペプシンと、リパーゼであることを特徴とする請求項１記載の歯ブラシ洗浄剤。
【請求項４】
香料がラベンダーオイル、レモンオイル、オレンジオイル、ハッカオイル及びグレープフルーツオイルの内、１種又は複数種を含むことを特徴とする請求項１記載の歯ブラシ洗浄剤。
【請求項５】
水溶性基材がブドウ糖、グリシン、硫酸ナトリウム、クエン酸、ポリオキシエチレンステアリルエーテル及びポリエチレングリコールの内、１種又は複数種を含むことを特徴とする請求項１記載の歯ブラシ洗浄剤。
【請求項６】
請求項１〜５に記載の洗浄剤は水に溶解又は懸濁させ、そこに歯ブラシを浸けて洗浄することを特徴とする請求項１記載の歯ブラシ洗浄剤。
【発明の詳細な説明】
【技術分野】
【０００１】本発明は、使用している歯ブラシを除菌し、付着物を除去し、心地よい香りを残す歯ブラシ洗浄剤を提供する。
【背景技術】
【０００２】従来の歯ブラシ洗浄剤は、特別な器具の使用を必要とするか、又は特殊な剤型である。【０００３】従来の歯ブラシ洗浄剤で、使用時に溶解又は懸濁させるだけのシンプルな剤型はあまりない。【０００４】歯ブラシの汚れの除去は、機械的又は物理的圧力などで行われ、酵素による生化学的手段のものはない。【０００５】歯ブラシを洗浄する技術としては、例えば特許文献１があるが、特別な洗浄装置を必要とし、特許文献２は洗浄剤を特別なエアゾール剤型としており、特許文献３は液体組成物を特別な発砲容器に充填する剤型としており、特許文献４は除菌剤と３０〜１００％のエチルアルコールの高濃度が処方された消毒剤であり、酵素は含まれていない。
【先行技術文献】
【特許文献】
【０００６】
【特許文献１】特許公開平１１−２２８３７１
【特許文献２】特許公開平１１−２５６１９１
【特許文献３】特許公開２０００−１７８１５５
【特許文献４】特許公開２００１−１０９０４
【発明の概要】
【発明が解決しようとする課題】
【０００７】使用している歯ブラシの清潔さを確保する必要がある。【０００８】歯ブラシの除菌と付着物の除去ができる必要がある。【０００９】そこで、歯ブラシの清潔さを確保するために、特殊な器具などを必要とせず、且つ短時間で除菌及び付着物の除去ができる歯ブラシ洗浄剤が望まれた。
【課題を解決するための手段】
【００１０】かかる実情において本発明者らは、上記課題を解決すべく鋭意研究を重ねた結果、歯ブラシを安全性の確保された物質で除菌し、付着物を酵素で除去し、処理後は心地よい香りも残す歯ブラシ洗浄剤を開発し、上記課題を解決することを見出し、本発明を完成するに至った。
【発明の効果】
【００１１】本発明により、使用が容易で、歯ブラシの除菌と付着物の除去ができ、処理後は心地よい香りを残す歯ブラシ洗浄剤が提供できる。
【発明を実施するための形態】
【００１２】以下本発明を詳細に説明する。
本発明に用いられる除菌剤は塩化ベンザルコニウム又はデヒドロ酢酸ナトリウムである。
【００１３】本発明に用いられる酵素はα‐アミラーゼと、β‐アミラーゼと、ペプシンと、リパーゼである。
【００１４】本発明に用いられる香料はラベンダーオイル、レモンオイル、オレンジオイル、ハッカオイル及びグレープフルーツオイルである。
【００１５】本発明に用いられる水溶性基材はブドウ糖、グリシン、硫酸ナトリウム、クエン酸、ポリオキシエチレンステアリルエーテル及びポリエチレングリコールである。
【００１６】本発明の歯ブラシ洗浄剤は水に溶解又は懸濁させ、そこに歯ブラシを浸けて使用されるものである。
【実施例】
【００１７】以下に本発明の実施例を示し、本発明を詳細に説明するが、本発明はこれらの実施例によって限定されるものではない。【００１８】実施例１
塩化ベンザルコニウム５０ｍｇ、α‐アミラーゼ１０ｍｇ、β‐アミラーゼ１０ｍｇ、ペプシン１０ｍｇ、リパーゼ１０ｍｇ、ラベンダーオイル１０ｍｇ、オレンジオイル５ｍｇ、ブドウ糖１ｇ、グリシン１ｇ、硫酸ナトリウム１ｇ、及びポリエチレングリコール３ｇを混合したものを水１００ｍＬに入れ、よくかき混ぜる。これに、歯ブラシを１時間浸ける。歯ブラシに付着していた汚れが除去された。歯ブラシを水洗すると、汚れの除去がより明白になり、心地よい香りが残った。この歯ブラシの毛先を寒天培地にこすり付け、３２℃で３日培養するとき、コロニーは認められなかった。【００１９】実施例２
デヒドロ酢酸ナトリウム０．３ｇ、α‐アミラーゼ１０ｍｇ、β‐アミラーゼ１０ｍｇ、ペプシン１０ｍｇ、リパーゼ１０ｍｇ、レモンオイル２０ｍｇ、ハッカオイル１０ｍｇ、クエン酸０．３ｇ、ポリオキシエチレンステアリルエーテル１ｇ、及びポリエチレングリコール３ｇを混合したものを水１００ｍＬに入れ、よくかき混ぜる。これに、歯ブラシを２時間浸ける。歯ブラシに付着していた汚れが除去された。歯ブラシを水洗すると、汚れの除去がより明白になり、心地よい香りが残った。この歯ブラシの毛先を寒天培地にこすり付け、３２℃で３日培養するとき、コロニーは認められなかった。【００２０】実施例３
塩化ベンザルコニウム８０ｍｇ、α‐アミラーゼ２０ｍｇ、β‐アミラーゼ１０ｍｇ、ペプシン２０ｍｇ、リパーゼ２０ｍｇ、グレープフルーツオイル１０ｍｇ、及びポリエチレングリコール３ｇを混合したものを水５０ｍＬに入れ、よくかき混ぜる。これに、歯ブラシを２時間浸ける。歯ブラシに付着していた汚れが除去された。歯ブラシを水洗すると、汚れの除去がより明白になり、心地よい香りが残った。この歯ブラシの毛先を寒天培地にこすり付け、３２℃で３日培養するとき、コロニーは認められなかった。
(57)【要約】【課題】従来の印影撮影方法は、カメラで撮影した画像を、そのまま、もしくは２値化して利用していた。しかしそれでは、撮影時の環境光の変化や、押印するシートの汚れなどの影響により、鮮明な印面の画像を得る事が出来なかった。【解決手段】押印した時に撮影された、シート上の印面の画像から、予め押印する前の状態のシートのみを撮影しておいた画像を差し引く事により、シートが汚れていたとしても、鮮明な印面画像を得る事ができる。さらに、撮影時の微妙な誤差により僅かな差分が発生した場合でも、差分画像を２値化する事によって、その差分は吸収され無視される。【選択図】図１
2016153993.tif 000002
【特許請求の範囲】
【請求項１】
印鑑の印面をカメラで撮影して電子データ（画像データ）化する方法であって、その印面画像は、予め印面を映さない状態で撮影された画像との差分を計算することで得られる画像から生成される印面撮影方法。
【請求項２】
前記印面撮影方法で、外光の影響や、撮影時の僅かなブレ等により、最終的に取得できる画像の鮮明さを低下させる影響を減らすために、差分計算後に得られる画像を２値化することを特徴とする請求項１記載の印面撮影方法。
【発明の詳細な説明】
【技術分野】
【０００１】  本発明は、印鑑の印面を綺麗に電子データ化する方法に関するものである。
【背景技術】
【０００２】  従来、印面を電子データ化するために、紙に押印した印章をスキャナーやカメラで読み取って、電子データ化していた。その後、特許文献１の様に、紙に押印せずに、直接印面をカメラで撮影し、その画像をそのまま、もしくは、２値化して電子データ化するものが発明された。
【先行技術文献】
【特許文献１】特開２０１３−２４２８３３  印面電子化装置
【発明の概要】
【発明が解決しようとする課題】
【０００３】  しかし、印面を直接撮影しても綺麗に印面の画像が取得できないので、特許文献１の様に、特殊なシートを利用して、その上に印面を押し付ける事により、印面画像を鮮明に得ようとすると、利用しているうちに、シートが汚れてきたり、印面に残っていた朱肉がシートに付着したりして、シートの汚れが印面と共に撮影されてしまい、綺麗な印面画像を取得する事が出来なくなってしまうと言う問題があった。【０００４】  そこで、本発明は、印面を押し付けるシートに、朱肉の付着等の汚れが付いたとしても、印面画像を鮮明に取得できる方法を提供する事を目的とする。
【課題を解決するための手段】
【０００５】  請求項１に記載の発明は、印鑑の印面をカメラで撮影して電子データ化する方法であって、その画像は、予め印鑑を用いず、印面を映さない状態で撮影された画像と、印鑑を用いて、印面を映しての画像との両方を比較し、その差分を計算することで得られる画像から、印面の画像を生成する印面撮影方法である。従って、請求項１に記載の発明によれば、印鑑を押し付けるシートが汚れていた場合は、その汚れが映った状態の画像と、汚れと印面が映った状態の画像との差分を計算するので、結果として汚れの分は差分が出ずに、印面の映像だけが差分として現れるので、シートに汚れがあっても、鮮明な印面の画像を得る事が可能となる。【０００６】  請求項２に記載の発明は、前記の差分を利用する印面撮影方法において、外光の影響や、撮影時の僅かなブレ等により、最終的に取得できる画像の鮮明さを低下させる影響を減らすために、差分計算後に得られる画像を２値化することを特徴とする印面撮影方法である。従って、請求項２に記載の発明によれば、カメラで撮影される画像は、例え同じ物を同じ場所から撮影しても、外光の明るさの違いや、ピクセル単位の微妙な撮影位置のブレなどによって、微妙に異なるので、この差分を計算しても真っ白な（差分の無い）画像にはならない、そこで、微妙な違いは、外光の明るさの違いや、ピクセル単位の微妙な撮影位置のブレなどとして無視する為に、差分計算によって得られた画像を、予め実験等によって決められた閾値で２値化する事によって、微妙な違いにより差分が出る事を吸収し、明確な差分だけを抽出し、結果として、鮮明な印面画像を取得することが可能になる。
【発明の効果】
【０００７】  請求項１に記載の発明によれば、印面を押し付けるシートが汚れていても、鮮明な印面画像を取得できるので、シートが汚れているかの巡回監視作業や、定期的なシート交換等のメンテナンスが大幅に減少し、シート交換に掛かる経費（材料費や人件費）も大幅に低下する。【０００８】  請求項２に記載の発明によれば、請求項１に記載の発明の効果に加え、例えば印鑑をシートの上に押印する為に、印鑑を持った手を翳した影響で外光の量が減り、全体的に暗い画像になってしまい、画像の差異が全体に出てしまったとしても、ある一定の差異より小さい差異は無視されるので、鮮明な印面画像が取得できる。
【図面の簡単な説明】
【０００９】
【図１】本発明の概要説明
【図２】本発明の処理手順
【発明を実施するための形態】
【実施例】
【００１０】  以下、本発明を具体化した、第一実施形態を説明する。【００１１】  図１、図２に示す様に、まず、押印していない状態で、シートだけの映像（ａ）を撮影する。次に、シートに押印しながら、シートと印面が映った映像を撮影する。前記の映像の差分を計算し、差分画像（ｃ）を生成する。最後に差分画像（ｃ）を２値化して、最終的な印面画像（ｄ）を生成する。【００１２】  ２つの画像の差分を計算する方法としては、例えば背景差分法がある。これは、監視カメラなどの固定されたカメラの映像から動体を検知する場合に利用されている方法である。入力画像と予め撮影された背景画像の差を計算して、入力画像から背景を消し去り、対象物を鮮明化するのである。これを数式で表すと次の様になる。【００１３】  背景画像（この場合はシートのみの画像）をＩｍａｇｅＢ（ｘ，ｙ）、押印した時の画像（シート＋印面の画像）をＩｍａｇｅＭ（ｘ，ｙ）、その差分画像をＩｍａｇｅＤ（ｘ，ｙ）とすると、
ＩｍａｇｅＤ（ｘ，ｙ）＝ＩｍａｇｅＭ（ｘ，ｙ）−ＩｍａｇｅＢ（ｘ，ｙ）となる。
この時、請求項２に記載の方法により、撮影時の誤差を無くす為に、閾値処理を行い２値化する事を考えると式は次の様になる。
2016153993.tif 000003
Ｔは、２値化の為の閾値であり、これより小さい変化は無視すると言う意味である。このＴをうまく決めればより鮮明な印面画像を得る事が出来る。
【図１】
2016153993.tif 000004
【図２】
2016153993.tif 000005
(57)【要約】【課題】従来の印影撮影方法は、カメラで撮影している動画を見ながら、印面が全て撮影されたタイミングを見計らって、撮影ボタンを押したりしていた。しかし、これでは、印面全体が撮影される様に印鑑を調整しながら、印面全体が映ったら、素早く撮影ボタンを押すと言う煩雑な操作が必要だったので、なかなか綺麗に印面が取得できなかった。【解決手段】押印者は、撮影動画を見ながら、印鑑の角度や押印の強さを調整して、印面全体が綺麗に映るようにするだけで、後は差分の変化量から推測し、適当なタイミングで印面画像を自動的に取得する。【選択図】図１
2016153994.tif 000002
【特許請求の範囲】
【請求項１】
印鑑の印面をカメラで撮影して電子データ（画像データ）化する方法において、印面全体が撮影されたタイミングを、予め印面を映さない状態で撮影された背景画像との差分の変化量で推測し、自動的に印面全体を撮影する方法。
【発明の詳細な説明】
【技術分野】
【０００１】  本発明は、印鑑の印面の全体が撮像されているタイミングを推測し、印面全体を綺麗に電子データ化する方法に関するものである。
【背景技術】
【０００２】  印面を電子データ化するために、印面をカメラで撮影し、その映像を目視しながら、印影が綺麗に映った時点で、撮影ボタンを押して、その画像を電子データ化している。
【発明の概要】
【発明が解決しようとする課題】
【０００３】  しかし、印面を撮影している動画を見ながら、印鑑の押し付け方を調整しつつ、適当なタイミングでボタンを押して、印面を撮影するのは難しく、どうしても撮影のタイミングがずれてしまい、なかなか綺麗な印面画像を取得する事が出来ない。【０００４】  そこで、本発明は、印面を撮影している動画を見ながら、印鑑の押し付け方を、印面全体が撮影される様に調節するだけで、印面全体が撮像されているタイミングを推測し、印面画像を取得する事を目的とする。【０００５】  請求項１に記載の発明は、印鑑の印面をカメラで撮影して電子データ化する方法において、印面全体が撮影されたタイミングを、予め印面を映さない状態で撮影された背景画像（シートだけの画像）との差分の変化量をモニターして、その差分の変化が少なくなった時に、印面全体が撮像されていると推測し、印面を撮影する方法。
【発明の効果】
【０００７】  請求項１に記載の発明によれば、撮影動画を見ながら、印鑑の印面をシートに押し付ける強さや角度を調整するだけで、自動的に、最適なタイミングを推測して、印面全体が映っている映像を取得できる。従って、押印しながらボタンを押すなどの煩雑な操作も無く、特に操作への慣れも不要なので、誰でもすぐに利用する事ができる。
【図面の簡単な説明】
【０００８】
【図１】本発明の処理手順
【発明を実施するための形態】
【実施例】
【０００９】  以下、本発明を具体化した、第一実施形態を説明する。【００１０】  図１に示す様に、まず、押印していない状態で、シートだけの映像（ａ）を撮影する。次に、シートに押印しながら、シートと印面が映った映像（ｂ）を撮影する。前記（ａ）と（ｂ）の映像の差分を計算し、単位時間内の差分の変化量が予め決められた閾値以内だったら、押印が安定したと見なして、差分画像（ｃ）を生成する。【００１１】  ２つの画像の差分を計算する方法としては、例えば背景差分法がある。これは、監視カメラなどの固定されたカメラの映像から動体を検知する場合に利用されている方法である。入力画像と予め撮影された背景画像の差を計算して、入力画像から背景を消し去り、対象物を鮮明化するのである。これを数式で表すと次の様になる。【００１２】  背景画像（この場合はシートのみの画像）をＩｍａｇｅＢ（ｘ，ｙ）、押印した時の画像（シート＋印面の画像）をＩｍａｇｅＭ（ｘ，ｙ）、その差分画像をＩｍａｇｅＤ（ｘ，ｙ）とすると、
ＩｍａｇｅＤ（ｘ，ｙ）＝ＩｍａｇｅＭ（ｘ，ｙ）−ＩｍａｇｅＢ（ｘ，ｙ）となる。
この時、請求項２に記載の方法により、撮影時の誤差を無くす為に、閾値処理を行い２値化する事を考えると式は次の様になる。
2016153994.tif 000003
Ｔは、２値化の為の閾値であり、これより小さい変化は無視すると言う意味である。このＴをうまく決めればより鮮明な印面画像を得る事が出来る。
【図１】
2016153994.tif 000004
(57)【要約】【課題】従来の印面撮影方法は、押印すると言う慣習通り、人が介在し、人が手で押印する方法だった。しかしそれでは、人によって異なる、押印する力を、装置が吸収する事が出来ないので、人が、装置に適した力で押印する練習をしたりしたが、いつも同じ精度の印面画像を取得する事が出来なかった。【解決手段】印面の撮影時には、人が介在せずに、印鑑の自重でのみ、印面を特殊なシートの上に押し付ける仕組みにより、誰が行っても、いつでも、同じ精度の印面画像が取得できる。【選択図】図１
2016153995.tif 000002
【特許請求の範囲】
【請求項１】
印鑑の印面をカメラで撮影して電子データ（画像データ）化する時、印面を特殊なシートに押し付けて撮影する方法であって、個人差によりシートに押し付ける力が異ならない様にするため、適度な粘着性のあるシート上に、印鑑の印面を下向きに載せて撮影する印面撮影方法。
【請求項２】
前記印面撮影方法を実現する為、適度な粘着質のある特殊なシートを上面に配置し、印鑑を載せやすく、印鑑の自重でのみ、特殊なシートに印面を押し付ける様にした、印面撮影装置。
【発明の詳細な説明】
【技術分野】
【０００１】  本発明は、印鑑の印面を綺麗に電子データ化する方法に関するものである。
【背景技術】
【０００２】  従来、印面を電子データ化するために、紙に押印した印章をスキャナーやカメラで読み取って、電子データ化していた。その後、特許文献１の様に、紙に押印せずに、直接印面をカメラで撮影し、その画像をそのまま、もしくは、２値化して電子データ化するものが発明された。
【先行技術文献】
【特許文献１】特開２０１３−２４２８３３印面電子化装置
【発明の概要】
【発明が解決しようとする課題】
【０００３】  しかし、印面を直接撮影しても綺麗に印面の画像が取得できないので、特許文献１の様に、特殊なシートを利用して、その上に印面を押し付ける事により、印面画像を鮮明に得ようとすると、印面をシートに押し付ける力が、人によって異なるので、強く押し付けると印面が滲んでしまい、力が弱いと鮮明に印面が取得できないと言う問題があった。【０００４】  そこで、本発明は、印面を押し付ける力を一定にするために、人の力では無く、印鑑の自重を利用して、ほぼ一定な力で印面をシートに押し付け、印面画像を鮮明に取得できる方法を提供する事を目的とする。
【課題を解決するための手段】
【０００５】  請求項１に記載の発明は、印鑑の印面をカメラで撮影して電子データ化する時、印面を特殊なシートに押し付けて撮影する方法であって、個人差によりシートに押し付ける力が異ならない様にするため、適度な粘着性のあるシート上に、印鑑を、印面を下向きに載せて撮影する印面撮影方法である。従って、請求項１に記載の発明によれば、印面画像を取得しようとする者が誰であっても、特殊なシートに印面を押し付ける作業には、人が介在しないので、いつも一定の力で特殊なシートに押し付けられる事になり、鮮明な印面の画像を得る事が可能となる。【０００６】  請求項２に記載の発明は、前記の印鑑の自重を利用して、特殊なシートに印面を押し付けて、印面の撮影を行う為に、適度な粘着性のある特殊なシートを印鑑を載せる上面に配置した、印面撮影装置である。従って、請求項２に記載の発明の装置を使えば、印面画像を得たい時には、印鑑の印面を下にして、装置上面に配置された特殊なシートの上に、その印鑑を載せるだけで、鮮明な印面画像を取得することが可能になる。
【発明の効果】
【０００７】  請求項１に記載の発明によれば、印面を撮影する為に、印面を特殊なシートに押し付ける事に、人が介在しないので、取得する印面画像の品質はその作業者には左右されずに、いつも同じ品質の画像が期待できる。【０００８】  請求項２に記載の発明によれば、請求項１に記載の発明の効果に加え、同装置の初期導入時や、未経験の作業者に変わった時などにも、印面を特殊なシートに、どれぐらいの力で押し付ければ良いのかと言う練習や、いつも同じく、適当な力で押し付けると言う慣れも不要である事から、初期導入の敏速化、学習コストの低下も期待できる。
【図面の簡単な説明】
【０００９】
【図１】本発明の概要説明
【発明を実施するための形態】
【実施例】
【００１０】  以下、本発明を具体化した、第一実施形態を説明する。【００１１】  図１は、印面を、特殊なシートに、異なる力で押し付けて、それを撮影した印面画像の例を示す。（ａ）は、強い力で、印面を特殊なシートに押し付けた時の画像であり、（ｂ）は、適度な力で押し付けた例、（ｃ）は、弱い力で押し付けた例である。この様に、印面を、特殊なシートに押し付ける力が異なると、印面画像が鮮明に取得できない場合がある。ここでは、（ｂ）は、印鑑の自重を利用して、人が介在せずに、特殊なシートに押し付けた場合の画像である。【００１２】  本発明では、印鑑を、印面を下にして、特殊なシートの上に載せるとあるが、例えば、非常に細い印鑑や、変わった形の印鑑であり、印面を下にして印鑑が自立しない形状の物があるかも知れない。その場合は、例えば筒状の補助器具等を利用して、印鑑が自立する様な仕組みを作る事が出来る。【００１３】  また、印鑑を、安定して自立させる為には、特殊なシートには、ある程度の粘着性が必要である。これには、特許文献１にも記述がある、株式会社エクシールコーポレーション製の、ハイパーゲルシート（硬度３０、厚み１ｍｍ、屈折率１．４８）等が適当である。もちろん、類似の性能のものであればこれに限る必要はない。
【図１】
2016153995.tif 000003